(57)【要約】【課題】人体に粘着しやすく、剥がれにくく、尿や精液等の体液を収集でき、漏れによる汚染も起こりにくい体液収集装置を提供する。【解決手段】本発明は、開口を有するシート部材であり、第一表面及び第二表面を有する接合部と、前記接合部の前記第一表面に設置される粘着層と、周縁部の周長は前記接合部の前記開口の周長より大きく、前記接合部の前記開口を囲むように前記接合部の前記第二表面に接合された収集膜と、を含む体液収集装置に関する。体液収集装置は人体に粘着しやすく、剥がれにくく、また例えば尿や精液等の体液を収集できる。本発明は体液収集機械の技術分野に応用される。【選択図】図１
2020513867.tif 000002
【特許請求の範囲】
【請求項１】
開口を有するシート部材であり、
第一表面及び第二表面を有する接合部と、
前記接合部の前記第一表面に設置される粘着層と、
周縁部の周長は前記接合部の前記開口の周長より大きく、前記接合部の前記開口を囲むように前記接合部の前記第二表面に接合された収集膜と、
を含む体液収集装置。
【請求項２】
前記収集膜の前記周縁部と前記接合部の前記第二表面との接合接着部分は幅を有し、前記接合部分の内周縁部は前記開口を囲む接合周縁部を形成し、前記接合周縁部の周長は前記開口の周長より大きいことから、前記接合部は中心部と外周部に分けられ、前記接合部の前記中心部と前記収集膜で前記開口を有する貯蔵空間を構成し、前記貯蔵空間は使用者の体液を貯蔵するのに用いることができることを特徴とする、請求項１に記載の体液収集装置。
【請求項３】
前記収集膜は嚢状構造を有し、前記嚢状構造は前記収集膜の前記周縁部により定義された開口端を有することを特徴とする、請求項１に記載の体液収集装置。
【請求項４】
少なくともストッパ部開口を有し、外縁は前記嚢状構造のうち前記開口端に近い外側に接合される、平面状または半径方向に円弧状のシート部材であるストッパ部を更に含むことを特徴とする、請求項３に記載の体液収集装置。
【請求項５】
前記収集膜は、平面状または半径方向に円弧状の環状膜で、外縁が前記収集膜の前記周縁部である環状部と、
前記環状部の内表面に接合し、周長は前記環状部の内縁の周長より大きく、前記環状部の内縁と距離を維持するように前記環状部の内表面に接合する嚢状部開口端を有する嚢状部と、
を含むことを特徴とする、請求項１に記載の体液収集装置。
【請求項６】
排液管を更に含み、
前記収集膜は嚢状構造を有し、前記嚢状構造は接続孔と前記収集膜の前記周縁部により定義された開口端を有し、前記排液管は前記接続孔に接合することを特徴とする、請求項１に記載の体液収集装置。
【請求項７】
前記収集膜は平面状または円弧状の弾性膜であることを特徴とする、請求項１に記載の体液収集装置。
【請求項８】
前記収集膜の前記周縁部は円形、楕円形または丸みを帯びた正多角形に沿って、接合部の前記第二表面に接合されることを特徴とする、請求項１〜７のいずれか１項に記載の体液収集装置。
【請求項９】
前記接合部の前記開口は前記円形、楕円形または丸みを帯びた正多角形の中心に位置することを特徴とする、請求項８に記載の体液収集装置。
【請求項１０】
前記接合部は平面状のシート部材または円弧状のシート部材であることを特徴とする、請求項１〜７のいずれか１項に記載の体液収集装置。
【請求項１１】
前記収集膜の前記周縁部は前記接合部の外縁と接触しないことを特徴とする、請求項１〜７のいずれか１項に記載の体液収集装置。
【請求項１２】
前記開口は前記接合部の長対称軸上に位置し、前記開口と前記長対称軸上における前記接合部の両外縁の距離は等しくないことを特徴とする、請求項１〜７のいずれか１項に記載の体液収集装置。
【請求項１３】
前記接合部の形状は、円形、楕円形または丸みを帯びた多角形であることを特徴とする、請求項１〜７のいずれか１項に記載の体液収集装置。
【請求項１４】
前記接合部の周縁部は切り欠きを有することを特徴とする、請求項１〜７のいずれか１項に記載の体液収集装置。
【請求項１５】
前記切り欠きは円弧状切り欠きであることを特徴とする、請求項１４に記載の体液収集装置。
【請求項１６】
前記接合部の周縁部に延設された構造維持部を更に含むことを特徴とする、請求項１〜７のいずれか１項に記載の体液収集装置。
【請求項１７】
前記構造維持部の一部の外縁は更に外に向かって伸び、使用者が指で摘まむための、前記接合部から突出した翼部を少なくとも一つ形成することを特徴とする、請求項１６に記載の体液収集装置。
【請求項１８】
少なくとも一点が前記構造維持部に接続され、使用前は折り畳むことで前記接合部に平らに貼りつけることができる把持部を更に含むことを特徴とする、請求項１６に記載の体液収集装置。
【請求項１９】
前記粘着層の組成材料は感圧性接着剤を含むことを特徴とする、請求項１〜７のいずれか１項に記載の体液収集装置。
【請求項２０】
前記収集膜の前記周縁部と前記接合部は一体的に形成される方法で接合されることを特徴とする、請求項１〜７のいずれか１項に記載の体液収集装置。
【発明の詳細な説明】
【技術分野】
【０００１】
本発明は、液体の収集装置に関し、特に体液収集装置に関する。
【背景技術】
【０００２】
寝たきりの男性にとって、従来の尿瓶や試験管を使用して尿検体を採取するとマットレスを汚しやすい。また、従来の精液検査の過程において、男性が自慰行為を行いながら精液を確実に小容器内に注入するのは非常に困難であり、この煩わしさにより採取量が足りず、検査を行えないことが度々起こる。従来の避妊具は男女における粘膜の直接接触がされないため、男性の避妊意欲を低下させる。よって、尿や精液等の体液を十分採取でき、前記公知技術の問題点を解決しつつ、男性用避妊装置として精液を貯蔵可能で使用者の性的快感も損なわない体液収集装置を如何にして提供するかが、喫緊の課題となっている。
【発明の概要】
【０００３】
上記課題に鑑みて、本発明は、人体に粘着しやすく、剥がれにくく、尿や精液等の体液を収集でき、漏れによる汚染も起こりにくい体液収集装置を提供することを目的とする。また、本発明に係る体液収集装置の実施形態は、使用者の性的快感を損なわずに精液の貯蔵もできる男性用避妊装置である。
【０００４】
本発明に係る実施例の体液収集装置は、開口を有するシート部材であり、第一表面及び第二表面を有する接合部と、接合部の第一表面に設置される粘着層と、周縁部の周長は接合部の開口の周長より大きく、接合部の開口を囲むように接合部の第二表面に接合された収集膜と、を含む。つまり、収集膜と接合部の少なくとも一部分は貯蔵空間を構成し、前記開口は接合部の少なくとも一部に位置する。
【０００５】
本発明に係る実施例の体液収集装置では、収集膜の周縁部と接合部の第二表面との接合部分は幅を有し、前記接合部分の内周縁部は前記開口を囲む接合周縁部を形成する。前記接合周縁部の周長は前記開口の周長より大きいことから、接合部は中心部と外周部に分けられ、接合部の中心部と収集膜で開口を有する貯蔵空間を構成し、前記貯蔵空間は使用者の体液を貯蔵するのに用いることができる。
【０００６】
本発明に係る実施例の体液収集装置では、収集膜は嚢状構造を有し、前記嚢状構造は収集膜の周縁部により定義された開口端を有する。本発明に係る実施例の体液収集装置では、少なくともストッパ部開口を有し、外縁は嚢状構造のうち開口端に近い外側に接合される、平面状または半径方向に円弧状のシート部材であるストッパ部を更に含む。
【０００７】
本発明に係る実施例の体液収集装置では、収集膜は、平面状または半径方向に円弧状の環状膜で、外縁が収集膜の周縁部である環状部と、環状部の内表面に接合し、周長は環状部の内縁の周長より大きく、環状部の内縁と距離を維持するように環状部の内表面に接合する嚢状部開口端を有する嚢状部と、を含む。
【０００８】
本発明に係る実施例の体液収集装置では、収集膜は、嚢状構造を有し、前記嚢状構造は接続孔、収集膜の周縁部により定義された開口端、及び接続孔に接合する排液管と、を有する。
【０００９】
本発明に係る実施例の体液収集装置では、収集膜は平面状または円弧状の弾性膜とすることができる。つまり、収集膜の弾性により、接合部の少なくとも一部分と貯蔵空間を構成することができ、前記開口は接合部の少なくとも一部に位置する。
【００１０】
本発明による一実施例の体液収集装置では、収集膜の周縁部は円形、楕円形または丸みを帯びた正多角形に沿って、接合部の第二表面に接合される。本発明に係る実施例の体液収集装置では、接合部の開口は、前記円形、楕円形または丸みを帯びた正多角形の中心に位置する。
【００１１】
本発明に係る実施例の体液収集装置では、接合部は未使用の自然状態では平面状のシート部材または円弧状のシート部材である。
【００１２】
本発明に係る実施例の体液収集装置では、収集膜の周縁部は接合部の外縁と接触しない。
【００１３】
本発明に係る実施例の体液収集装置では、前記開口は接合部の長対称軸上に位置し、前記開口と前記長対称軸上における接合部の両外縁の距離は等しくない。
【００１４】
本発明に係る実施例の体液収集装置では、接合部は丸みを帯びた多角形であり、前記丸みを帯びた多角形は、対称軸と、前記対称軸に垂直な第一辺及び第二辺を有し、前記第一辺の長さは前記第二辺の長さと等しくなく、前記開口は前記対称軸上に位置する。
【００１５】
本発明に係る実施例の体液収集装置では、接合部の形状は、円形、楕円形、または丸みを帯びた多角形である。
【００１６】
本発明に係る実施例の体液収集装置では、接合部の周縁部は、切り欠きを有し、前記切り欠きは、例えば円弧状切り欠きであることが好ましい。
【００１７】
本発明に係る実施例の体液収集装置では、接合部の周縁部に延設された構造維持部を更に含み、構造維持部の一部の外縁は更に外に向かって伸び、使用者が指で摘まむための、接合部から突出した翼部を少なくとも一つ形成する。
【００１８】
本発明による一実施例の体液収集装置では、少なくとも一点が構造維持部に接続され、使用前は折り畳むことで接合部に平らに貼りつけることができる把持部を更に含む。
【００１９】
本発明に係る実施例の体液収集装置では、接着層の組成材料は感圧性接着剤を含む。
【００２０】
本発明に係る実施例の体液収集装置では、収集膜の周縁部と接合部の第二表面の接合は、溶剤、接着剤、テープまたはフィルムを使用することができ、また電熱、超音波または高周波等の方法で溶接することができる。
【００２１】
本発明に係る実施例の体液収集装置では、収集膜の周縁部と接合部は一体的に形成される方法で接合される。
【００２２】
本発明に係る実施例の体液収集装置では、接合部１１の外周部１１２の最も広い部分は２ｍｍより大きい、または接合周縁部２２の周長を３１．４で割った商より大きい。
【発明の効果】
【００２３】
本発明の有用な効果は、本発明の体液収集装置の構造が簡単であること、人体に粘着しやすいこと、そして収集した体液の漏出を効果的に防ぐことができるということである。例えば、本発明の体液収集装置に係る実施例では、男性用避妊装置として、前記男性用避妊装置を男性の亀頭に粘着させるだけでこの装置を使用でき避妊の効果が得られ、使用者の避妊問題を簡単且つ安全に解決することができる。また、男性用避妊装置としての実施例では、本発明の接合部は亀頭の一部にしか粘着しないため、男女双方の性的快感を更に効果的に高めることができる。本発明における収集膜は接合部の開口周縁部に直接接合しない、即ち収集膜の周縁部と接合部の接合部分が開口を囲む接合周縁部を形成し、接合周縁部と接合部の開口との間に中心部を有し、この部分も接着層により亀頭に粘着される。このような構造により精液の漏出を防ぐのに更に有用である。同一の構造に基づき、本発明は男性の精液または尿収集装置としても、同様に漏出を防ぐ効果を有する。こうした実施形態を通じ、本発明は使用者の尿検査、精液検査または避妊問題を解決することができる。
【図面の簡単な説明】
【００２４】
【図１】本発明の体液収集装置に係る一実施例の概略図である。
【図２Ａ】本発明の体液収集装置に係る一実施例における使用方法の概略図である。
【図２Ｂ】本発明の体液収集装置に係る一実施例における使用方法の概略図である。
【図２Ｃ】本発明の体液収集装置に係る一実施例における使用方法の概略図である。
【図２Ｄ】本発明の体液収集装置に係る一実施例における使用方法の概略図である。
【図２Ｅ】本発明の体液収集装置に係る一実施例における使用方法及び効能の概略図である。
【図２Ｆ】本発明の体液収集装置に係る一実施例における使用方法及び効能の概略図である。
【図２Ｇ】本発明の体液収集装置に係る一実施例における使用方法及び効能の概略図である。
【図３】本発明の体液収集装置に係る一実施例における概略図である。
【図４Ａ】本発明の体液収集装置に係る一実施例における概略図である。
【図４Ｂ】本発明の体液収集装置に係る一実施例における概略図である。
【図５Ａ】本発明の体液収集装置に係る一実施例における概略図である。
【図５Ｂ】本発明の体液収集装置に係る一実施例における概略図である。
【図６】本発明の体液収集装置に係る一実施例における概略図である。
【図７Ａ】本発明の体液収集装置に係る一実施例における概略図である。
【図７Ｂ】本発明の体液収集装置に係る一実施例における概略図である。
【図８】本発明の体液収集装置に係る一実施例における概略図である。
【図９】本発明の体液収集装置に係る一実施例における概略図である。
【発明を実施するための形態】
【００２５】
以下に、図面を参照しながら、本発明を実施するための形態を説明する。なお、同じまたは類似の部材については、同じ符号を付して説明する。
【００２６】
本発明の体液収集装置１０に係る一実施例を図１に示す。体液収集装置１０は開口１２を有する接合部１１及び収集膜２１を含む。接合部１１は、第一表面及び第一表面の反対にある第二表面を有し、前記第一表面には使用者に粘着させる粘着層１３が設けられている。収集膜２１の周縁部の周長は、接合部１１の開口１２の周長より大きく、接合部１１の開口１２を囲むように接合部１１の第二表面に接合される。また収集膜２１の周縁部は円形、楕円形、または丸みを帯びた正多角形に沿って接合部１１の第二表面に接合され、開口１２は円形、楕円形、または丸みを帯びた正多角形の中心に位置する。本実施例において、収集膜２１は嚢状構造を有し、前記嚢状構造は収集膜２１の周縁部により定義された開口端を有し、開口端は接合部１１の第二表面上に接合される。収集膜２１の材質は弾性を有するものが好ましいが、弾性を有さない材質を使用することもできる。弾性が大きい材質を使用すれば、収集膜２１を平面状または円弧状の膜として製造することも可能である。
【００２７】
体液収集装置１０は例えば、天然ラテックス、合成ラテックス、ゴム、シリコーン、ポリイソプレン（ＰＩ）、ポリウレタン（ＰＵ）、高分子材料又は生物材料を使用して製造することができるが、これに限らない。接合部１１は弾性膜とすることができるがこれに限らない。弾性膜は自然状態では平面状または円弧状のシート部材で、厚さは０．１ｍｍ未満が好ましく、形状は円形、楕円形、または丸みを帯びた多角形とすることができるがこれに限らない。粘着層１３の組成材料は、例えば感圧性接着剤を含むことができる。収集膜２１の嚢状構造は真空成形、加圧成形、マッチモールド（Ｍａｔｃｈ  ｍｏｌｄ）成形、ブロー成形、３Ｄ印刷またはディップ成形等方法を使用することができるがこれに限らない。また厚さは０．１（ｍｍ）未満が好ましい。収集膜２１の周縁部と接合部１１の第二表面の接合は、例えば、溶剤、接着剤、テープまたはフィルムを使用することができるがこれに限らず、また例えば電熱、超音波または高周波等方法により溶接することができるがこれに限らない。収集膜２１は接合部１１と一体的に形成して製造することもできる。
【００２８】
図１に示すように、収集膜２１の周縁部と接合部１１の第二表面の接合部分は幅を有し、接合部分の内周縁部（前記周縁部は開口１２に隣接する）は開口１２を囲む接合周縁部２２を形成する。接合周縁部２２の周長は開口１２の周長より大きいことから、接合部１１を中心部１１１及び外周部１１２に分ける。つまり、接合周縁部２２と開口１２の間は距離を有し、接合部１１の内縁（開口１２の周縁部）と接合周縁部２２により中心部１１１が定義され、接合周縁部２２と接合部１１の外縁により外周部１１２が定義される。接合部１１の中心部１１１と収集膜２１は開口１２を有する貯蔵空間を構成し、使用者の体液を貯蔵するのに用いることができる。図１における円形の接合周縁部２２と前期円形の中心に位置する開口１２は例に過ぎず、体液圧を効果的に分散させるために、接合周縁部２２は、例えば丸みを帯びた正多角形のようなその他の形状として配置することもできるが、円形または楕円形が好ましく、開口１２も接合周縁部２２で囲まれた範囲の中心に位置することに限定されない。
【００２９】
図２Ａから図２Ｄは体液収集装置１０の使用方法における異なる視点から見た概略図で、図２Ａは立体図、図２Ｂは底面図、図２Ｃは平面図、図２Ｄは側面図である。例えば、収集膜２１は透明の嚢状構造を有し、前記嚢状構造は収集膜２１の周縁部により定義された開口端を有し、収集膜２１と接合部１１が溶接の方法で接合された状況である。図２Ａに示すように、収集膜２１の開口端は溶接の方法で円形（または楕円形）に沿って円形（または楕円形）の接合部１１の第二表面上に接合される。接合部分は幅を有し、１ｍｍより大きいまたは等しくするのが好ましい。使用者は体液収集装置１０を使用する際、開口１２を使用者の尿道口７１に合わせ、接合部１１の上端１４を使用者の腹７２の方向に向け、接合部１１の下端１５を使用者の陰嚢７３の方向に向け、接合部１１の開口１２から下端１５の部分を粘着層（図示せず）により亀頭７４下方の包皮小帯７５と陰嚢７３に隣接する部分である亀頭冠７６に粘着させ（図２Ｂに示す）、接合部１１の開口１２から上端１４までの部分を粘着層により亀頭７４（図２Ｃに示す）に粘着させる。上端１４と腹７２に隣接する亀頭冠７６の間は距離を有し、本発明を男性用避妊装置として用いた場合、多くの神経が通る亀頭７４の露出がより多くなり、使用者の性行為を行う際の快感が増加する。また、弾性を有する接合部１１は容易に接合できる他、異なる大きさまたは異なる曲面の亀頭７４に用いるのに適し、体液の検査を行う場合、体液収集装置１０を剥がすだけで、貯蔵空間に貯蔵された体液（尿又は精液）を開口１２より試験管に注ぐことができる。
【００３０】
本発明の体液収集装置１０を男性用避妊装置として用いた場合、亀頭に粘着させて使用するのに適し、接合部１１の外縁は腹７２に隣接する亀頭冠７６の半径方向における垂線Ｙ（図２Ｄに示すように、垂線Ｙと陰茎の軸線は垂直である）を超えると好ましくないため、接合部１１の最大幅は例えば９０ｍｍ未満、より好ましくは７０ｍｍ未満、更に好ましくは５０ｍｍ未満であり、こうすることで多くの神経が通る陰茎をより覆わないようにすることができる。接合周縁部２２の周長は一般の陰茎の周長より小さく、例えば１５０ｍｍ未満、より好ましくは１２０ｍｍ未満、更に好ましくは９０ｍｍ未満であり、こうすることで陰茎を覆う二層の材料（接合部１１の中心部１１１と収集部２１）の面積がより小さくなり、使用者の快感を増加させることができる。収集膜２１の嚢の深さは接合周縁部２２の周長を６．２８で割った商より大きく、例えば１０ｍｍより大きく、より好ましくは２０ｍｍより大きく、更に好ましくは３０ｍｍより大きい。こうすることで、より多くの精液を収容できる。
【００３１】
収集膜２１が接合部１１と形状が同一で、両者の周縁部が互いに向かい合って接合する場合、製造過程はより簡単となる。しかし、収集膜２１の周縁部が接合部１１の外縁より小さく、本発明を男性用避妊装置として用いた場合、過度に厚い周縁部が膣壁を傷つけることで起こる女性の不快感を防ぐことや、接合部１１の外縁が過度に厚いために巻き上がってしまい剥離するのを防ぐこともできる。しかし、収集膜２１の周縁部が接合部１１外縁より小さい構造の場合、両者はパンチングを分ける必要があり、収集膜２１の例えば成形、グリップ、位置決め（位置決め穴は設置できない）または接合部１１との接合等製造過程において、困難さがかなり増す。特に収集膜２１が嚢状構造である場合は更に困難となる。本発明の実施例において、収集膜２１の周縁部と接合部１１の外縁の間は距離を有し（接合部１１の外縁とは接触しない）、この距離は２ｍｍより大きくするのが好ましい。図２Ｄに示すように、性行為を行う際に陰茎が膣を開くため、収集膜２１の開口端の口径が亀頭７４の直径より凡そ小さければ（つまり、接合部１１の中心部１１１の面積が亀頭７４の半径方向の断面よりも小さくなる）、ピストン運動時の膣壁の摩擦や収集膜２１の引張りによる収集膜２１の破裂を防ぐことができる。
【００３２】
体液が貯蔵空間に入る過程における貯蔵空間内の尿または精液の液圧、又は本発明を男性用避妊装置として用いた際の性行為過程における男女の分泌物の浸透、貯蔵空間内の前立腺液の液圧、ピストン運動による収集膜２１の引張り、射精時に収集膜２１の膨張により生じる接合部１１に対する張力、ピストン運動による接合部１１の周縁部の摩擦、等の要因により、接合部１１が亀頭７４から剥離し体液が漏出する可能性がある。図２Ｅから図２Ｇに示すように、貯蔵空間において、接合部１１の中心部１１１は粘着層１３により亀頭７４に粘着しており、接合部１１が剥離するのを効果的に防止する。図２Ｅに示すように、体液収集装置１０を使用する際、接合部１１は粘着層１３により亀頭７４に粘着することで、中心部１１１が貯蔵空間の円弧曲面の方向に向けられる。体液が貯蔵空間内部に入った後、前記貯蔵空間内部において、開口１２は開口１２に隣接する体液収集装置１０（即ち、接合部１１の中央部１１１）との間に角度Ａ１を形成し、角度Ａ１は貯蔵空間の方向を向いた平角または優角となる。つまり、貯蔵空間において亀頭７４表面と体液収集装置１０との間に形成される角度は平角又は優角であり、体液が開口１２から接合部１１と亀頭７４との隙間に沿って接合部１１の周縁部から漏れにくくなる。
【００３３】
図２Ｆに示すように、亀頭７４に粘着する接合部１１の中心部１１１と収集膜２１が形成する閉鎖構造は、体液及び／または内部空気の圧力Ｆ１に耐え得り、貯蔵空間内の体液を接合部１１の周縁部から容易に漏出させないようにすることができる。接合部１１の中心部１１１と外周部１１２は粘着層１３により亀頭７４に粘着することで、接合周縁部２２を参考点として、内側及び外側それぞれに両辺が固定される効果が生じる。これにより、体液及び／または空気が十分に満たされた際に膨張する収集膜２１により接合部１１に対し生じる張力（例えば、図２Ｆに示す張力Ｆ２）を相殺し、及び、本発明を男性用避妊装置として用いた際のピストン運動により収集膜２１が引っ張られ接合部１１に対し生じる張力（例えば、図２Fに示す張力Ｆ３）を相殺する。より好ましい両辺固定効果を得るために、接合部１１の外周部１１２の最も広い部分は、例えば２ｍｍより大きく、好ましくは４ｍｍより大きく、更に好ましくは６ｍｍより大きく、または接合周縁部２２の周長を３１．４で割った商より大きい。
【００３４】
図２Ｇに示すように、性行為の過程において、女性の膣分泌物または潤滑液の浸透、及びピストン運動の摩擦または引張りにより、接合部１１は周縁部から開口１２の方向へ亀頭７４から剥離する可能性がある。しかし接合部１１の外周部１１２に剥離が生じ、或いは中心部１１１の一部にまで剥離が生じたとしても、開口１２に隣接する中心部１１１が一部でも亀頭７４に粘着していれば、貯蔵空間内の精液が漏出することはない。
【００３５】
上記説明により、本発明の体液収集装置１０は構造がシンプルで、尿、前立腺液、精液の収集効果、避妊効果も有する。以下で更に関連図を参照しながら、本発明の体液収集装置の他の変形例を男性用避妊装置の実施例として説明する。
【００３６】
図３は、本発明に係る体液収集装置１０の別の実施形態である。図３に示す使用者の亀頭７４を正面から見たものであり、収集膜２１は透明の円形平面状弾性膜であり、接合部１１の円弧状上端１４と円弧状下端１５の間の間隔は、接合部１１の両側周縁部の間隔より大きく、接合部１１の両側周縁部の間隔は小さい構造とすることで、使用者が体液収集装置１０を男性用避妊装置として使用する際、亀頭７４の両側がより多く露出するため、使用者の快感を更に増加させることができる。
【００３７】
接合部１１を更にしっかりと亀頭７４に粘着させるために、接合部１１の周縁部は少なくとも切り欠きを有し、例えば円弧状切り欠きがより好ましい。体液収集装置１０を表面が曲面である亀頭７４に粘着すると、接合部１１の周縁部に突起のしわが生じ接合部の密着性に影響を与えることを防ぐことができる。図４Ａに示すように、収集膜２１は透明の円形円弧曲面の弾性膜であり、接合部１１の両側周縁部の開口１２と向き合う所にはそれぞれ円弧状の切り欠き１６を有する。また、包皮小帯７５と陰嚢７３に隣接する亀頭冠７６の接触場所の陰茎表面は凸凹で平らではなく、この場所はピストン運動の摩擦力を最も受ける領域でもある。接合部１１の開口１２から下端１５までの部分は、接合部１１の開口１２から上端１４までの部分より長くすることで、下端１５を陰茎縫線７７に粘着させるまで延ばすことができる。つまり、接合部１１が凡そ丸みを帯びた矩形（図４Ａに示す）である場合、開口１２は接合部１１の長対称軸（図４Ａにおける長対称軸は垂直方向）上に位置するが、接合部１１の短対称軸（図４Ａにおける短対称軸は水平方向）上には位置しない。また開口１２と前記矩形の二つの短辺（長対称軸上の接合部１１の両外縁）の距離は等しくないため、接合部１１が更にしっかりと粘着され剥離しにくくなる。接合部１１の上端１４または下端１５は直線状であってよく、使用時は陰茎縫線７７に対し凡そ垂直で、直線状の上端１４または下端１５がピストン運動方向に対し垂直となり、円弧状の周縁部に比べピストン運動の摩擦に耐えることが可能となり、接合部１１が上端１４または下端１５からより剥離されにくくなる。また、図４Ｂに示すように、丸みを帯びた多角形の透明な収集膜２１の周縁部は、丸みを帯びた正六角形に沿って接合部１１の第二表面上に接合され、接合部１１の下端１５は上端１４より長くなり、接合部１１は上が狭く下が広い構造となる。開口１２から下端１５の間までの部分は比較的広く、接合部１１がよりしっかりと使用者陰茎の包皮小帯７５と亀頭冠７６の接触点に粘着する。つまり、前記接合部１１は丸みを帯びた多角形（図４Ｂで開示する接合部１１は凡そ六角形）であることができ、対称軸（図４Ｂでは垂直方向）と前記対称軸に垂直な第一辺及び第二辺（図４Ｂの上端１４及び下端１５）を有し、前記第一辺の長さは前記第二辺の長さと等しくなく、開口１２は前記対称軸上に位置する。
【００３８】
本発明に係る体液収集装置１０の別の実施例を図５Ａに示す。収集膜２１は嚢状構造を有し、体液収集装置１０が使用される前の状態において、嚢状構造の閉鎖端は開口端の中央に向かって内反りまたは折り返され、閉鎖端の内表面２１ｉは接合部１１に近くにある。収集膜２１の開口端に近い外側には、少なくともストッパ部開口２４を有し、平面状または半径方向に円弧状のシート部材であるストッパ部２３が更に設けられ、ストッパ部２３の外縁は嚢状構造のうち開口端に近い外側に接合される。性行為の過程において、ストッパ部２３は折り返した後の収集膜２１の大部分を収納でき、収集膜２１がピストン運動により過度に引っ張られるのを防ぐことができ、また収集膜２１は、使用者が射精した際に精液が溜まりストッパ部開口２４を通して外に向かって裏返るので、収集膜２１を折り返る前の状態に戻すことができる（図５Ｂに示す）。
【００３９】
本発明の別の実施例を図６に示す。体液収集装置１０は接合部１１、環状部２１１及び嚢状部２１２からなる収集膜２１を含むことができる。環状部２１１は平面状または半径方向に円弧状の環状膜で、外縁は収集膜２１の周縁部である。嚢状部２１２は開口端を有し、前記開口端の周長は環状部２１１の内縁の周長より大きく、環状部２１１の内表面２１１ｉに接合する。つまり、嚢状部２１２の開口端と環状部２１１の内表面２１１ｉの接合部分と環状部２１１の内縁の間は距離を有する。よって、接合部１１の中心部１１１、環状部２１１の一部及び嚢状部２１２は開口１２を有する貯蔵空間を構成し、使用者の前立腺液または精液を貯蔵するのに用いる。環状部２１１及び嚢状部２１２は同一または異なる材質を使用して製造することができ、厚さも同一であってもよくまたは異なっていてもよい。
【００４０】
本発明の別の実施例を図７に示す。体液収集装置１０は、接合部１１上に枠を設置するように接合部１１の周縁部に延設され、接合前に接合部１１の周縁部形状を維持するために用いる構造維持部１７を含むことができる。接合部１１を使用者の亀頭７４に粘着する際にしわが生じるのを防ぐことができる。構造維持部１７は弱粘着性の粘着テープにより接合部１１の第二表面上に粘着される、つまり構造維持部１７と接合部１１の間の粘着力は接合部１１と亀頭７４の間の粘着力より弱いことから、使用者が構造維持部１７を取り外す際に接合部１１は亀頭７４から剥離しない。構造維持部１７の一部の外縁は更に外に向かって伸び、使用者が指で摘まむための少なくとも接合部１１から突出した翼部（図７Ｂに示す）を形成する。
【００４１】
本発明の別の実施例を図８に示す。体液収集装置１０は少なくとも一点が構造維持部１７に接合された把持部１８を含む。把持部１８は折り畳むことができ接合部１１または構造維持部１７に平らに貼り付けることができる。また使用者が指で摘まみ体液収集装置１０を粘着若しくは調整する、又は構造維持部１７を取り外せるように、接合部１１との間に形成された約９０度の角度の位置まで引くことができる。
【００４２】
以上の説明は、体液収集装置を本発明の一実施例としたものであるが、これに限定されるものではなく、前記実施例で示す構造は、例えば尿等その他体液の収集においても用いることができる。
【００４３】
本発明のもう一つの実施例を図９に示す。収集膜２１は嚢状構造を有し、接合部１１と接合する開口端（収集膜２１の周縁部により定義される）を有する他、接続孔を有する。前記接続孔は排液管２６に接続され、排液管２６の末端はラッパ状の継手とすることができるが、これに限定されない。またカバーを接続し前記ラッパ状の継手を封鎖し、不定期に貯蔵空間に貯蔵された体液（例えば精液または尿）を容器（例えば試験管または尿袋）に容易に注入することができる。
【００４４】
上記内容は例示に過ぎず、本発明を限定するものではなく、本発明の趣旨及び範囲から逸脱することなく行われるいずれかの等価な変更又は変形は、全て本発明の範囲に含まれるべきである。
【符号の説明】
【００４５】
１０…体液収集装置
１１…接合部
１２…開口
１３…接着層
１４…上端
１５…下端
１６…円弧状の切り欠き
１７…構造維持部
１８…把持部
２１…収集膜
２１ｉ…内表面
２２…接合周縁部
２３…ストッパ部
２４…ストッパ部開口
２６…排液管
７１…尿道口
７２…腹
７３…陰嚢
７４…亀頭
７５…包皮小帯
７６…亀頭冠
７７…陰茎縫線
１１１…中心部
２１１…環状部
２１１ｉ…内表面
Ｆ１…圧力
Ｆ２…張力
Ｆ３…張力
【図１】
2020513867.tif 000003
【図２Ａ】
2020513867.tif 000004
【図２Ｂ】
2020513867.tif 000005
【図２Ｃ】
2020513867.tif 000006
【図２Ｄ】
2020513867.tif 000007
【図２Ｅ】
2020513867.tif 000008
【図２Ｆ】
2020513867.tif 000009
【図２Ｇ】
2020513867.tif 000010
【図３】
2020513867.tif 000011
【図４Ａ】
2020513867.tif 000012
【図４Ｂ】
2020513867.tif 000013
【図５Ａ】
2020513867.tif 000014
【図５Ｂ】
2020513867.tif 000015
【図６】
2020513867.tif 000016
【図７Ａ】
2020513867.tif 000017
【図７Ｂ】
2020513867.tif 000018
【図８】
2020513867.tif 000019
【図９】
2020513867.tif 000020
【国際調査報告】
2020513867.tif 000021
2020513867.tif 000022
2020513867.tif 000023
2020513867.tif 000024
2020513867.tif 000025
2020513867.tif 000026